(57)【要約】【課題】片手で電子機器を操作する際の操作性を向上させる。【解決手段】電子機器１は、表面および背面にタッチセンサを有し、背面のタッチセンサ１３の操作を検出すると、表示部１１の上部に表示されているオブジェクトの位置を下部に変更する制御部１４を備える。【選択図】図１
2015121995.tif 000002
【特許請求の範囲】
【請求項１】
表面および背面にタッチセンサを有する電子機器であって、
背面のタッチセンサの操作を検出すると、表示部の上部に表示されているオブジェクトの位置を下部に変更する制御部を備えることを特徴とする電子機器。
【請求項２】
前記オブジェクトは、表面のタッチセンサの操作によっては移動しないことを特徴とする、請求項１に記載の電子機器。
【請求項３】
前記制御部は、前記オブジェクトの位置を変更する際には、上下のオブジェクトを入れ替えることを特徴とする、請求項１または２に記載の電子機器。
【請求項４】
前記背面のタッチセンサに対する押圧を検出する押圧検出部を備え、
前記制御部は、前記押圧検出部により検出される押圧に基づくデータが所定の基準を満たした場合に、前記オブジェクトの位置を変更することを特徴とする、請求項１から３のいずれか一項に記載の電子機器。
【請求項５】
表面および背面にタッチセンサを有する電子機器であって、
背面のタッチセンサの操作を検出すると、表示部の上部に表示されている画面を下方向へスライドさせる制御部を備えることを特徴とする電子機器。
【請求項６】
前記背面のタッチセンサに対する押圧を検出する押圧検出部を備え、
前記制御部は、前記押圧検出部により検出される押圧に基づくデータが所定の基準を満たした場合に、前記画面を下方向へスライドさせることを特徴とする、請求項５に記載の電子機器。
【発明の詳細な説明】
【技術分野】
【０００１】
本発明は、背面にタッチセンサを有する電子機器に関する。
【背景技術】
【０００２】
近年、ユーザによる接触を検知するタッチセンサを備えた携帯電話等の電子機器が増加している。接触の検出方式は、抵抗膜方式、静電容量方式等、種々の検出方式が知られており、いずれの方式もユーザの指やスタイラスペン等による接触物の接触を検出する。
【０００３】
また、表面に加え、背面にもタッチセンサを有する電子機器が知られている。例えば、特許文献１には、表面および背面にそれぞれ２つのタッチセンサを備え、使用状態に対応付けられた所定の対応関係に基づいて、第１背面または第２背面に対する入力を、第１表面または第２表面に対する入力として受け付けることにより、利便性を高めることが可能な携帯端末が記載されている。
【先行技術文献】
【特許文献】
【０００４】
【特許文献１】特開２０１２−２３０５６７号公報
【発明の概要】
【発明が解決しようとする課題】
【０００５】
片手で電子機器を操作する場合には、親指以外の４本の指と手のひらで電子機器の側面および背面を保持しながら、表面に表示されるアイコン、タブ等のオブジェクトを親指で操作する必要がある。しかし、電子機器が大きくなると表面の上部に表示されるオブジェクトには親指が届かなくなり、片手で電子機器を操作することが困難になるという問題があった。
【０００６】
かかる事情に鑑みてなされた本発明の目的は、片手で電子機器を操作する際の操作性を向上させることが可能な電子機器を提供することにある。
【課題を解決するための手段】
【０００７】
上記課題を解決するため、本発明に係る電子機器は、表面および背面にタッチセンサを有する電子機器であって、背面のタッチセンサの操作を検出すると、表示部の上部に表示されているオブジェクトの位置を下部に変更する制御部を備えることを特徴とする。
【０００８】
さらに、本発明に係る電子機器において、前記オブジェクトは、表面のタッチセンサの操作によっては移動しないことを特徴とする。
【０００９】
さらに、本発明に係る電子機器において、前記制御部は、前記オブジェクトの位置を変更する際には、上下のオブジェクトを入れ替えることを特徴とする。
【００１０】
さらに、本発明に係る電子機器において、前記背面のタッチセンサに対する押圧を検出する押圧検出部を備え、前記制御部は、前記押圧検出部により検出される押圧に基づくデータが所定の基準を満たした場合に、前記オブジェクトの位置を変更することを特徴とする。
【００１１】
また、本発明に係る電子機器は、表面および背面にタッチセンサを有する電子機器であって、背面のタッチセンサの操作を検出すると、表示部に表示されている画面を下方向へスライドさせる制御部を備えることを特徴とする。
【００１２】
さらに、本発明に係る電子機器において、前記背面のタッチセンサに対する押圧を検出する押圧検出部を備え、前記制御部は、前記押圧検出部により検出される押圧に基づくデータが所定の基準を満たした場合に、前記画面を下方向へスライドさせることを特徴とする。
【発明の効果】
【００１３】
本発明によれば、片手で電子機器を操作する際の操作性を向上させることができるようになる。
【図面の簡単な説明】
【００１４】
【図１】本発明の第１の実施形態に係る電子機器の概略構成を示すブロック図である。
【図２】本発明の第１の実施形態に係る電子機器の実装構造の一例を示す図である。
【図３】ユーザが電子機器を左手で保持した状態を示す図である。
【図４】本発明の第１の実施形態に係る電子機器の処理を示すフローチャートである。
【図５】本発明の第１の実施形態に係る電子機器の背面タッチセンサの操作により行う処理の第１の態様を説明する図である。
【図６】本発明の第１の実施形態に係る電子機器の背面タッチセンサの操作により行う処理の第２の態様を説明する図である。
【図７】本発明の第２の実施形態に係る電子機器の概略構成を示すブロック図である。
【図８】本発明の第２の実施形態に係る電子機器の実装構造の一例を示す図である。
【図９】本発明の第２の実施形態に係る電子機器の処理を示すフローチャートである。
【図１０】本発明の第３の実施形態に係る電子機器の概略構成を示すブロック図である。
【発明を実施するための形態】
【００１５】
以下、本発明の実施形態について、図面を参照して詳細に説明する。
【００１６】
［第１の実施形態］
図１は、第１の実施形態に係る電子機器の概略構成を示すブロック図である。図１に示す例では、電子機器１は、表示部１１と、表面タッチセンサ１２と、背面タッチセンサ１３と、制御部１４と、記憶部１５と、通信部１６と、マイク１７と、スピーカ１８とを備える。
【００１７】
表示部１１は、文字、写真、オブジェクト等の画像を表示する。オブジェクトには、アイコン、タブ、文字入力が可能な入力窓等が含まれる。表示部１１は、液晶パネル（ＬＣＤ：Liquid Crystal Display）や有機ＥＬパネル（ＯＥＬＤ：Organic Electroluminescence Display）等を用いて構成される。例えばホーム画面では、表示部１１は、電話、メール、インターネット通信、カメラ撮影等の各操作を行うためのアイコンを表示させる。
【００１８】
表面タッチセンサ１２は、表面タッチセンサ１２の入力面において、指の接触または接触の解除を検出する。そして、表面タッチセンサ１２は、入力面に対する接触位置を検出し、検出した接触位置を示す信号を制御部１４へ出力する。表面タッチセンサ１２は透明な部材で構成され、表示部１１の前面に重畳配置される。ユーザは透明の表面タッチセンサ１２を介して表示部１１の画像を視認し、表示部１１が表示するオブジェクトの表示位置において表面タッチセンサ１２を操作することにより、電子機器１に所定の処理を実行させる。ここで、タッチセンサの操作とは、タッチ、タップ、ダブルタップ、スライド、フリック、スワイプ等の、指をタッチセンサに接触させるあらゆる操作をいう。
【００１９】
背面タッチセンサ１３は、片手で電子機器１を操作する際の操作性を向上させるために電子機器１の背面に配置され、背面タッチセンサ１３の入力面において、指による接触または接触の解除を検出し、検出結果を制御部１４へ出力する。表面タッチセンサ１２および背面タッチセンサ１３は、例えば、抵抗膜方式、静電容量方式等の周知の方式で実現される。
【００２０】
制御部１４は、表面タッチセンサ１２から入力される信号により表面タッチセンサ１２の操作を検出すると、接触位置に表示されているオブジェクトに対応する処理を実行する。
【００２１】
また、制御部１４は、背面タッチセンサ１３から入力される信号により背面タッチセンサ１３の所定の操作を検出すると、表示部１１に表示中のオブジェクトまたは上部画面の位置を変更する。かかる処理の具体例については後述する。
【００２２】
記憶部１５は、半導体メモリ等で構成することができ、各種情報や電子機器１を動作させるためのプログラム等を記憶するとともに、ワークメモリとしても機能する。
【００２３】
通信部１６は、基地局または他の通信機器と無線により通信し、インターネット接続、電話回線接続、電子メールの送受信等を可能にする。
【００２４】
マイク１７は、ユーザの発話等の周囲の音を集音する。マイク１７が集音した音は、電気信号に変換して制御部１４に送られる。
【００２５】
スピーカ１８は、音声、音楽、着信音等の音を出力する。
【００２６】
図２は、第１の実施形態に係る電子機器１の実装構造の一例を示す図である。図２（ａ）は正面図であり、図２（ｂ）は図２（ａ）におけるＡ−Ａ線に沿った断面図であり、図２（ｃ）は背面図である。
【００２７】
なお、図２においては、筐体１０、表示部１１、表面タッチセンサ１２、背面タッチセンサ１３、および接合部材４０以外の要素の図示は省略している。電子機器１は、図２に示した以外にも、例えば、制御部１４、基板、及び各種部品等の要素を備えることができる。また、典型的にはマイク１７は表面タッチセンサ１２の下部に配置され、スピーカ１８は表面タッチセンサ１２の上部に配置される。
【００２８】
図２に示すように、表面タッチセンサ１２は筐体１０（例えば、金属や樹脂のケース）の表面１０ａに配置され、筐体１０に支持される。
【００２９】
表示部１１は、筐体１０の内部に配置される。例えば、表示部１１を表面タッチセンサ１２の裏面に接着してもよいし、筐体1０の内部に直接固定するか、筐体１０の内部に配置される基板または表示部用ホルダ等に固定してもよい。図２では、表示部１１は、接合部材４０を介して表面タッチセンサ１２に接着されている。図２（ｂ）に示すように、表示部１１を、表面タッチセンサ１２の裏面側に配置すれば、表面タッチセンサ１２および表示部１１によりタッチパネルを構成する際に、表示部１１に自由なユーザインタフェースを表示して、ユーザの操作を表面タッチセンサ１２により検出することができる。なお、接合部材４０は、熱硬化性あるいは紫外線硬化性等を有する接着剤や両面テープ等であり、例えば無色透明のアクリル系紫外線硬化型接着剤である光学弾性樹脂でもよい。
【００３０】
背面タッチセンサ１３は、電子機器１を片手で保持した際に、人差し指で接触可能な範囲を含むように、筐体１０の背面１０ｂに配置され、筐体１０に支持される。例えば、図２（ｂ）（ｃ）に示すように、背面タッチセンサ１３は筐体１０の背面１０ｂの上部に配置される。
【００３１】
図３は、ユーザが電子機器１を左手で保持した状態を示す図である。図３（ａ）は表面側から見た図であり、図３（ｂ）は背面側から見た図である。図３（ｂ）に示すように電子機器１を左手で保持すると、人差し指は背面タッチセンサ１３上に位置する。よって、ユーザは人差し指を折り曲げるだけで他の指は動かすことなく容易に背面タッチセンサ１３を操作することができる。なお、本実施形態では、背面タッチセンサ１３を人差し指が接触可能な位置に限定して配置しているが、より広範囲にわたって配置させてもよい。
【００３２】
次に、本発明に係る電子機器１による処理を、図４を参照して説明する。図４は、第１の実施形態に係る電子機器１の処理を示すフローチャートである。
【００３３】
制御部１４は、表面タッチセンサ１２から入力される信号により表面タッチセンサ１２の所定の操作を検出すると（ステップＳ１０１−Ｙｅｓ）、接触位置に表示されているオブジェクトに対応する処理を実行する（ステップＳ１０２）。例えば、表示部１１がインターネット接続を開始させるためのブラウザアイコンを表示している場合に、表面タッチセンサ１２によりブラウザアイコンの表示位置におけるタップを検出すると、通信部１６によりインターネット接続を開始させ、所定のＵＲＬにアクセスし、取得したサイト画面を表示部１１に表示させる。ステップＳ１０２による処理が、電子機器１のブラウザを終了させる処理であった場合には（ステップＳ１０３−Ｙｅｓ）、処理を終了して、例えば表示部１１にホーム画面（待ち受け画面）を表示させる。
【００３４】
また、制御部１４は、背面タッチセンサ１３から入力される信号により背面タッチセンサ１３の所定の操作（例えば、スライド）を検出すると（ステップＳ１０４−Ｙｅｓ）、表示中のオブジェクトまたは上部画面の位置を変更する（ステップＳ１０５）。ステップＳ１０５の処理の具体例について、以下に説明する。
【００３５】
図５は、背面タッチセンサ１３の操作により行う処理の第１の態様を説明する図である。図５（ａ）は、ホーム画面やフォルダ画面などの複数のオブジェクト（アイコン）が表示されている画面を示している。なお、表示の一例として正方形のオブジェクトＡ〜Ｘを示しているが、オブジェクトの形状や数はこれに限定されるものではない。片手で電子機器１を操作する際、図５（ａ）に示す画面において、上部に表示されるオブジェクトを親指で選択するのは困難である。そこで、本発明に係る電子機器１では、制御部１４は背面タッチセンサ１３の所定の操作（例えば、スライド）を検出すると、表示部１１の上部に表示されているオブジェクトの位置を下部に変更する。
【００３６】
ここで、オブジェクトの位置の変更は、様々な形態により行うことができる。例えば、制御部１４は背面タッチセンサ１３の所定の操作を検出すると、図５（ｂ）に示すようにオブジェクト群の上半分のオブジェクトＡ〜Ｌと下半分のオブジェクトＭ〜Ｘとを入れ替えてもよいし、背面タッチセンサ１３の所定の操作を検出するたびに、オブジェクトを数列ずつ順次下にずらすようにして上下のオブジェクトを入れ替えてもよい。図５（ｃ）は、図５（ａ）の配置からオブジェクトを一列下にずらし、最下部に表示されていたオブジェクトＵ〜Ｘを最上部に入れ替えた様子を示している。
【００３７】
図６は、背面タッチセンサ１３の操作により行う処理の第２の態様を説明する図である。図６（ａ）に示す例では、３つの画面が擬似的に重ねて表示されており、複数の画面を切り替えて表示可能とするためのタブ５１，５２，５３が表示されている。また、検索バー等の文字入力が可能な入力窓５４も表示されている。片手で電子機器１を操作する際、図６（ａ）に示す画面において、上部に表示される上部画面５０を親指で操作するのは困難である。そこで、本発明に係る電子機器１では、制御部１４は背面タッチセンサ１３の所定の操作（例えば、スライド）を検出すると、表示部１１の上部に表示されている上部画面５０を下方向へスライドさせる。本明細書において、上部画面とは、表示部１１に表示される画面の上半分に含まれる画面のことをいう。よって、図６に示す例では上部画面５０はタブ５１，５２，５３、及び入力窓５４を含んでいるが、上部画面５０はこれに限定されるものではない。
【００３８】
ここで、上部画面５０の下方向へのスライドは、様々な形態により行うことができる。例えば、制御部１４は背面タッチセンサ１３の所定の操作を検出すると、図６（ｂ）に示すように上部画面５０を表示部１１の中央部までスライドしてもよいし、背面タッチセンサ１３の所定の操作を検出するたびに、上部画面５０を所定の幅ずつ順次下方向へスライドしてもよい。また、上部画面５０の下に表示されていた文字、写真、オブジェクト等の画像については、図６（ｂ）に示すように上部画面５０とともに下方向へスライドさせてもよいし、スライド後の上部画面５０の上下に分割して表示させてもよい。また、上部画面５０を画面の上半分とし、制御部１４は背面タッチセンサ１３の所定の操作を検出すると、画面の上半分と下半分とを入れ替えてもよい。
【００３９】
また、制御部１４は、表面タッチセンサ１２の操作によっては移動しないオブジェクトを対象に、該オブジェクトを背面タッチセンサ１３の操作により移動可能とするようにしてもよい。図５に示すオブジェクトＡ〜Ｘや、図６に示す上部画面５０は、表面タッチセンサ１２の操作によっては移動しない場合が多く、このような場合に特に利便性を提供することができる。
【００４０】
また、制御部１４は、背面タッチセンサ１３に対するスライドを検出すると、オブジェクトまたは上部画面を該スライド方向に移動させるようにしてもよい。例えば、制御部１４は、背面タッチセンサ１３に対して上から下方向のスライドを検出すると、オブジェクトまたは上部画面を上から下方向に移動させ、その後、背面タッチセンサ１３に対して下から上方向のスライドを検出すると、オブジェクトまたは上部画面を下から上方向に移動させる。
【００４１】
上述したように、第１の実施形態に係る電子機器１は、制御部１４により、背面タッチセンサ１３の操作を検出すると、表示中のオブジェクトまたは上部画面の位置を変更する。このため、電子機器１によれば、電子機器１を保持した手の親指が届く範囲内にオブジェクトまたは上部画面を移動させ、引き続き片手による操作を続行することができるため、電子機器１を片手で操作する際の操作性を向上させることが可能となる。
【００４２】
［第２の実施形態］
次に、本発明の第２の実施形態について説明する。図７は、本発明の第２の実施形態に係る電子機器の概略構成を示すブロック図である。第２の実施形態に係る電子機器２は、第１の実施形態に係る電子機器１と比較して、更に押圧検出部２０を備える。その他の構成については第１の実施形態と同一であるため、同一の参照番号を付して説明を省略する。
【００４３】
押圧検出部２０は、背面タッチセンサ１３に対してユーザが操作を行う際の押圧を検出し、押圧に基づくデータを制御部１４に出力する。押圧検出部２０は、例えば、押圧に応じて物理的または電気的な特性（歪み、抵抗、電圧等）が変化する歪みゲージセンサや圧電素子等を用いて構成される。押圧検出部２０が、例えば圧電素子を用いて構成された場合、押圧検出部２０の圧電素子は、背面タッチセンサ１３に対する押圧による荷重（力）の大きさ（または、荷重の大きさが変化する速さ（加速度））に応じて、電気的な特性である電圧値（押圧に基づくデータ）が変化する。なお、押圧に基づくデータは、電圧値の代わりに、押圧による荷重の大きさ、電力値、抵抗値等でもよい。
【００４４】
また、押圧検出部２０は、表面タッチセンサ１２に対してユーザが操作を行う際の押圧を同様にして検出してもよく、本実施形態では、押圧検出部２０が表面タッチセンサ１２に対してユーザが操作を行う際の押圧も検出するものとして、以下説明する。
【００４５】
制御部１４は、押圧検出部２０から背面タッチセンサ１３（および表面タッチセンサ１２）に対する押圧に基づくデータを取得する。そして、制御部１４は、押圧に基づくデータが所定の基準を満たした場合に、所定の操作が行われたと判断する。
【００４６】
また、押圧検出部２０は、接触検出方式に応じて構成することができる。例えば、接触検出方式が抵抗膜方式の場合には、接触面積の大きさに応じた抵抗の大きさを、タッチセンサのタッチ面に対する押圧の荷重に対応付けることにより、歪みゲージセンサや圧電素子等を用いることなく押圧検出部２０を構成することができる。あるいは、タッチセンサが静電容量方式の場合には、静電容量の大きさを、タッチセンサに対する押圧の荷重に対応付けることにより、歪みゲージセンサや圧電素子等を用いることなく構成することができる。
【００４７】
図８は、第２の実施形態に係る電子機器２の実装構造の一例を示す図である。図８（ａ）は正面図であり、図８（ｂ）は図８（ａ）におけるＡ−Ａ線に沿った断面図であり、図８（ｃ）は背面図である。図８は、図２に示した電子機器１の実装構造に対して、更に押圧検出部２０を構成する圧電素子２１〜２４を図示している。なお、圧電素子の個数や配置位置は、図示した例に限定されるものではない。
【００４８】
図８に示す例では、押圧検出部２０は、第１圧電素子２１、第２圧電素子２２、第３圧電素子２３、および第４圧電素子２４を有し、第１圧電素子２１および第２圧電素子２２により、背面タッチセンサ１３に対してユーザが操作を行う際の押圧を検出し、第３圧電素子２３および第４圧電素子２４により、表面タッチセンサ１２に対してユーザが操作を行う際の押圧を検出する。
【００４９】
なお、図８（ａ）において、表面タッチセンサ１２上において表示部１１による表示を透過させる必要がない領域、すなわち、表面タッチセンサ１２と表示部１１とが重ならない領域は、表面タッチセンサ１２の端辺付近の領域を塗装したりベゼルで覆ったりするのが好適である。このようにすれば、第３圧電素子２３および第４圧電素子２４等が電子機器２の外部から見えてしまうことを防ぐことができる。
【００５０】
次に、本発明に係る電子機器２による処理を、図９を参照して説明する。図９は、第２の実施形態に係る電子機器２の処理を示すフローチャートである。
【００５１】
制御部１４は、表面タッチセンサ１２から入力される信号により表面タッチセンサ１２の所定の操作を検出すると（ステップＳ２０１−Ｙｅｓ）、押圧検出部２０から表面タッチセンサ１２に対する押圧に基づくデータを取得する（ステップＳ２０２）。そして、制御部１４は、取得した押圧に基づくデータが所定の閾値（基準）を満たしたか否かを判定し（ステップＳ２０３）、押圧に基づくデータが所定の閾値を満たした場合に（ステップＳ２０３−Ｙｅｓ）、表面タッチセンサ１２の押圧操作が行われたと判断し、押圧位置に表示されているオブジェクトに対応する処理を実行する（ステップＳ２０４）。ここで、押圧に基づくデータが所定の閾値を満たした際とは、押圧に基づくデータが所定の基準値に達した際であってもよいし、押圧に基づくデータが所定の基準値を超えた際でもよいし、所定の基準値と等しい押圧に基づくデータが検出された際でもよい。ステップＳ２０４による処理が、アプリケーションやメニュー等を終了させる処理であった場合には（ステップＳ２０５−Ｙｅｓ）、処理を終了して、例えば表示部１１にホーム画面（待ち受け画面）を表示させる。
【００５２】
また、制御部１４は、背面タッチセンサ１３から入力される信号により背面タッチセンサ１３の所定の操作を検出すると（ステップＳ２０６−Ｙｅｓ）、押圧検出部２０から背面タッチセンサ１３に対する押圧に基づくデータを取得する（ステップＳ２０７）。そして、制御部１４は、取得した押圧に基づくデータが所定の閾値（基準）を満たしたか否かを判定し（ステップＳ２０８）、押圧に基づくデータが所定の閾値を満たした場合に（ステップＳ２０８−Ｙｅｓ）、背面タッチセンサ１３の操作が行われたと判断し、表示中のオブジェクトまたは上部画面の位置を変更する（ステップＳ２０９）。ステップＳ２０９の処理の具体例については、第１の実施形態で説明した通りである。
【００５３】
上述したように、第２の実施形態に係る電子機器２は、押圧検出部２０を更に備え、制御部１４は、背面タッチセンサ１３に対する押圧に基づくデータが所定の基準を満たした場合に、背面タッチセンサ１３の操作が行われたと判断する。そのため、電子機器２は、他の物体と軽く接触しただけでユーザによる操作が行われたと判断することを防止できる。特に、電子機器を保持する際には背面に指が接触するが、押圧検出部２０により押圧を検出することにより、ユーザが操作を意図していないのにもかかわらず操作したものと誤判断することを防止できる。
【００５４】
［第３の実施形態］
次に、本発明の第３の実施形態について説明する。図１０は、本発明の第３の実施形態に係る電子機器の概略構成を示すブロック図である。第３の実施形態に係る電子機器３は、第２の実施形態に係る電子機器２と比較して、更に触感呈示部３０を備える。その他の構成については第２の実施形態と同一であるため、同一の参照番号を付して説明を省略する。
【００５５】
触感呈示部３０は、制御部１４から供給される駆動信号に基づいて所定の振動を発生する。駆動信号については、表現したいリアルなボタンが挙動する振動を、指が接触する位置において表現する駆動信号であればよい。
【００５６】
触感呈示部３０は、圧電素子、超音波振動子、または振動モータ（偏心モータ）等を用いて構成され、所定の振動パターンによる振動を発生させることにより、背面タッチセンサ１３を押圧しているユーザの指に対して触感を呈示し、ユーザに背面タッチセンサ１３を操作したことを感覚的に通知する。触感呈示部３０は、機械的な振動を使わずに、背面タッチセンサ１３上に貼ったフィルムの電荷を制御する等により、背面タッチセンサ１３を押圧しているユーザの指に対して触感を呈示してもよい。
【００５７】
また、触感呈示部３０は、表面タッチセンサ１２に対しても、同様にして振動を発生させて、表面タッチセンサ１２を押圧しているユーザの指に対して触感を呈示するようにしてもよい。
【００５８】
なお、触感呈示部３０は、押圧検出部２０と一体化して構成することもできる。特に、押圧検出部２０および触感呈示部３０を圧電素子を用いて構成する場合は、圧電素子を共用することもできる。圧電素子は、圧力が加わると電圧を発生し、電圧が加えられると変形するためである。この場合の実装構造例は、図８に示した通りである。
【００５９】
押圧検出部２０および触感呈示部３０を圧電素子を用いて構成する場合、制御部１４は、圧電素子の電圧値が所定の閾値を満たした際に、所定の処理を行うとともに、該圧電素子を駆動することにより振動を発生させるようにしてもよい。ここで、圧電素子の電圧値が所定の閾値を満たした際とは、電圧値が所定の基準値に達した際であってもよいし、電圧値が所定の基準値を超えた際でもよいし、所定の基準値と等しい電圧値が検出された際でもよい。
【００６０】
上述したように、第３の実施形態に係る電子機器３は、触感呈示部３０を更に備え、制御部１４から供給される駆動信号に基づいて所定の振動を発生する。そのため、電子機器３は、ユーザが背面タッチセンサ１３（および表面タッチセンサ１２）を操作した際に、意図した操作が行われたことを感覚的にユーザに通知することができる。
【００６１】
上述の実施形態は代表的な例として説明したが、本発明の趣旨及び範囲内で、多くの変更及び置換ができることは当業者に明らかである。したがって、本発明は、上述の実施形態によって制限するものと解するべきではなく、特許請求の範囲から逸脱することなく、種々の変形や変更が可能である。例えば、実施形態に記載の複数の構成ブロックを１つに組み合わせたり、あるいは１つの構成ブロックを分割したりすることが可能である。
【符号の説明】
【００６２】
１，２，３  電子機器
１１        表示部
１２        表面タッチセンサ
１３        背面タッチセンサ
１４        制御部
１５        記憶部
１６        通信部
１７        マイク
１８        スピーカ
２０        押圧検出部
２１        第１圧電素子
２２        第２圧電素子
２３        第３圧電素子
２４        第４圧電素子
３０        触感呈示部
４０        接合部材
５０        上部画面
５１，５２，５３  タブ
５４        入力窓
【図１】
2015121995.tif 000003
【図２】
2015121995.tif 000004
【図３】
2015121995.tif 000005
【図４】
2015121995.tif 000006
【図５】
2015121995.tif 000007
【図６】
2015121995.tif 000008
【図７】
2015121995.tif 000009
【図８】
2015121995.tif 000010
【図９】
2015121995.tif 000011
【図１０】
2015121995.tif 000012